(57)【要約】データ記憶装置（６２）への順序付けられた書き込みの処理は、データ記憶装置のキャッシュ（６４２）のスロット（６５２）内において第１のデータの部分（５６）を受信し、ハッシュ・テーブル（７０２）を用いて、第１のデータの部分からのデータを含むキャッシュ・スロットとデータ記憶装置（６２）の論理記憶装置（６９８）の場所との間の相関を提供することを含む。順序付けられた書き込みの処理は、更に、第１のデータの部分を含むキャッシュ・スロットに対するポインタ（６７４）の環状にリンク付けされたリストを保持することを含み得る。順序付けられた書き込みの処理は、更に、データ記憶装置（６２）のキャッシュのスロット内において第２のデータの部分（５８）を受信し、第１のデータの部分に対応する全てのデータがデータ記憶装置（６９８）に転送されたことを示すメッセージを受信することを含み得る。順序付けられた書き込みの処理は、更に、メッセージの受信に応答して、第１のデータの部分から論理記憶装置（６９８）にデータを記憶することを含み得る。順序付けられた書き込みの処理は、更に、ハッシュ・テーブル（７０２）を用いて、第２のデータの部分からのデータを含むキャッシュ・スロット（６５２）とデータ記憶装置（６２）の論理記憶装置（６９８）の場所との間の相関を提供することを含み得る。
2008515112.tif 000002
【特許請求の範囲】
【請求項１】
データ記憶装置への順序付けられた書き込みを処理する方法であって、
前記データ記憶装置のキャッシュのスロット内において第１のデータの部分を受信すること、
ハッシュ・テーブルを用いて、前記第１のデータの部分からのデータを含むキャッシュ・スロットと前記データ記憶装置の論理記憶装置の場所との間の相関を提供すること、
を備える方法。
【請求項２】
請求項１に記載の方法であって、更に、
前記データ記憶装置の前記キャッシュのスロット内において第２のデータの部分を受信すること、
前記第１のデータの部分に対応する全てのデータが前記データ記憶装置に転送されたことを示すメッセージを受信すること、
を備える方法。
【請求項３】
請求項２に記載の方法であって、更に、
前記メッセージの受信に応答して、前記第１のデータの部分から前記論理記憶装置にデータを記憶すること、
を備える方法。
【請求項４】
請求項２に記載の方法であって、更に、
ハッシュ・テーブルを用いて、前記第２のデータの部分からのデータを含むキャッシュ・スロットと前記データ記憶装置の論理記憶装置の場所との間の相関を提供すること、
を備える方法。
【請求項５】
請求項１に記載の方法において、前記ハッシュ・テーブルは、前記キャッシュのスロットに対するポインタのテーブルである、方法。
【請求項６】
請求項５に記載の方法において、コリジョンに対応して、前記ハッシュ・テーブルのエントリーが第１のスロットへのポインタを含み、前記第１のスロットが第２のスロットへのポインタを含む、方法。
【請求項７】
データ記憶装置であって、
データを含む少なくとも一つのディスク・ドライブと、
前記少なくとも一つのディスク・ドライブに接続され、前記少なくとも一つのディスク・ドライブに記憶されるべきデータを受信する少なくとも一つのホスト・アダプタと、
前記少なくとも一つのディスク・ドライブおよび前記少なくとも一つのホスト・アダプタに接続され、前記データ記憶装置に記憶されるべきデータを受信する少なくとも一つのリモート・アダプタと、
を備え、前記データ記憶装置は、前記データ記憶装置のキャッシュのスロット内において第１のデータの部分を受信し、ハッシュ・テーブルを用いて、前記第１のデータの部分からのデータを含むキャッシュ・スロットと前記データ記憶装置の論理記憶装置の場所との間の相関を提供する、データ記憶装置。
【請求項８】
請求項７に記載のデータ記憶装置において、該データ記憶装置は、前記第１のデータの部分を含むキャッシュ・スロットに対するポインタの環状にリンク付けされたリストを保持する、データ記憶装置。
【請求項９】
請求項７に記載のデータ記憶装置において、該データ記憶装置は、該データ記憶装置の前記キャッシュのスロット内において第２のデータの部分を受信し、前記第１のデータの部分に対応する全てのデータが該データ記憶装置に転送されたことを示すメッセージを受信する、データ記憶装置。
【請求項１０】
請求項９に記載のデータ記憶装置において、該データ記憶装置は、前記メッセージの受信に応答して、前記第１のデータの部分からのデータを前記論理記憶装置に記憶する、データ記憶装置。
【発明の詳細な説明】
【技術分野】
【０００１】
本願は、コンピュータ記憶装置に関する。より詳細には、記憶装置の間でデータを転送する分野に関する。
【背景技術】
【０００２】
ホスト・プロセッサ・システムは、複数のインターフェース・ユニット（ホスト・アダプタ）、ディスク・ドライブ、およびディスク・インターフェース・ユニット（ディスク・アダプタ）を含む記憶装置を用いてデータを記憶したり、引き出したりする。このような記憶装置は、例えば、マサチューセッツ州ホプキントンのＥＭＣコーポレイションから提供され、ヤナイら（Yanai et al.）に付与された米国特許第５，２０６，９３９号明細書、ガルツァら（Galtzur et al.）に付与された米国特許第５，７７８，３９４号明細書、ヴィシィリツキーら（Vishlitzky at al. ）に付与された米国特許第５，８４５，１４７号明細書、およびオフェック（Ofek）に付与された米国特許第５，８５７，２０８号明細書に開示されている。ホスト・システムは、共に設けられる複数のチャネルを通じて記憶装置にアクセスする。ホスト・システムは、記憶装置にチャネルを通じてデータを供給して制御情報にアクセスし、記憶装置は、同様に、チャネルを通じてホスト・システムにデータを供給する。ホスト・システムは、直接的に記憶装置のディスク・ドライブにアドレス指定しないが、その代わりに、複数の論理ディスク・ユニットとしてホスト・システムに現れるものをアクセスする。論理ディスク・ユニットは、実際のディスク・ドライブに対応していても、していなくてもよい。多数のホスト・システムが単一の記憶装置にアクセスすることを可能にすることで、多数のホスト・システムはその中に記憶されるデータを共有することができる。
【０００３】
一つの記憶装置から別の記憶装置にデータをコピーすることが望ましい場合がある。例えば、ホストが第１の記憶装置にデータを書き込む場合、該データを別の場所に設けられている第２の記憶装置にコピーすることが望ましく、第１の記憶装置を動作不能にさせる災害が生じたときにホスト（または別のホスト）が第２の記憶装置のデータを用いて動作を復旧することができる。このような性能は、例えば、マサチューセッツ州ホプキントンのＥＭＣコーポレイションから提供されるリモート・データ・ファシリティ（ＲＤＦ：Remote Data Facility）なる製品によってもたらされる。ＲＤＦでは、「一次記憶装置」（または「Ｒ１」）と称される第１の記憶装置がホストに接続される。「二次記憶装置」（または「Ｒ２」）と称される一つ以上の記憶装置は、ホストによって一次記憶装置に書き込まれたデータのコピーを受信する。ホストは、一次記憶装置と直接的に相互作用する。しかし、一つ以上の二次記憶装置には、一次記憶装置に対する全てのデータ変更がＲＤＦを用いて自動的に供給される。一次記憶装置と二次記憶装置とは、ＥＳＣＯＮリンク、ファイバー・チャネル・リンク、および／またはギガビット・イーサネット（登録商標）リンクのようなデータ・リンクによって接続される。ＲＤＦの機能は、各記憶装置に設けられるＲＤＦアダプタ（ＲＡ：RDF adapter ）により促進される。
【０００４】
ＲＤＦは、同期データ転送を可能にする。この場合、ホストから一次記憶装置に書き込まれるデータが一次記憶装置から二次記憶装置にＲＤＦを用いて転送された後、二次記憶装置は一次記憶装置に対して受信を承認する。次いで、一次記憶装置は、書き込みの承認をホストに戻す。従って、同期モードでは、二次記憶装置へのＲＤＦ転送が完了され二次記憶装置によって承認されるまで、ホストは、一次記憶装置から書き込みの承認を受信しない。
【０００５】
同期ＲＤＦシステムの欠点は、各書き込み動作の待ち時間がＲＤＦ転送の承認を待つことで増加される点である。この問題は、一次記憶装置と二次記憶装置との間で距離が長いときにひどく、送信遅延により、ＲＤＦ転送を行い、転送が完了した後に承認が戻されるに必要な時間遅延が許容可能ではない。
【０００６】
半同期モードでＲＤＦを用いることも可能である。この場合、データはホストから一次記憶装置に書き込まれ、直ちにその書き込みは承認され、同時に、二次記憶装置へのデータの転送の処理が開始される。それにより、データの単一の転送について、このスキームは同期モードにおいてＲＤＦを用いる際の幾つかの不都合な点を克服する。しかしながら、データ保全のため、半同期モードでは前の転送が二次記憶装置によって承認されるまで一次記憶装置は二次記憶装置にデータを転送することはできない。それにより、同期モードにおいてＲＤＦを用いることに関連する障害は、前のデータの転送が二次記憶装置によって承認されるまで第２のデータ量の転送が生じないため、一回の繰り返し分だけ単に遅延される。
【０００７】
更なる可能性は、非同期モードでホストに一次記憶装置にデータを書き込ませ、一次記憶装置にバックグラウンドで二次記憶装置にデータをコピーさせることである。バックグラウンド・コピーは、順次に一次記憶装置の各トラック中を巡回することを伴い、特定のブロックが、該ブロックが最後にコピーされてから、変更されたと判断されると、そのブロックは一次記憶装置から二次記憶装置に転送される。この機構は、同期および半同期データ転送モードに関連付けられる待ち時間問題を減衰するが、一次記憶装置と二次記憶装置との間でデータの一貫性が保証されないため依然として問題がある。一次システムの故障のような問題が発生すると、二次システムは動かなくなりデータは使用不可能になる。
【０００８】
この問題に対する提案された解決策は、共に２００２年８月２１日に出願された米国仮特許出願第１０／２２４，９１８号明細書および第１０／２２５，０２１号明細書に開示されるシメトリックス自動複製（ＳＡＲ：Symmetrix Automated Replication ）処理である。ＳＡＲは、標準論理装置をミラーする装置（ＢＣＶ）を用いる。ＢＣＶ装置は、ミラーされた後に標準論理装置からスプリットされ、スプリットされた後に標準論理装置に再同調（即ち、ミラーとして再確立）され得る。しかしながら、ＳＡＲ処理の使用は、ＢＣＶを連続的にスプリットし、再同調する著しいオーバーヘッドを必要とする。ＳＡＲ処理は、制御しているホストが動作可能であることに依存するホスト制御および管理を用いる。更に、ＳＡＲ処理の実際的な実行に対するサイクル時間は、２０乃至３０分のオーダーであり、従って、ＲＤＦリンクおよび／または一次装置が故障したときに損失し得るデータの量は２０乃至３０分分のデータとなり得る。
【発明の開示】
【発明が解決しようとする課題】
【０００９】
従って、欠点を減少させる一方で上述の異なる技法のそれぞれの幾つかの有利な特性を発揮するＲＤＦシステムが望ましい。このようなシステムは、一次装置と二次装置との間の距離に関係なく各ホストの書き込みに対する低い待ち時間を達成し、故障の場合に二次装置の一貫性（修復性）を提供する。
【課題を解決するための手段】
【００１０】
本発明によると、データ記憶装置への順序付けられた書き込みの処理は、データ記憶装置のキャッシュのスロット内において第１のデータの部分を受信すること、ハッシュ・テーブルを用いて、第１のデータの部分からのデータを含むキャッシュ・スロットとデータ記憶装置の論理記憶装置の場所との間の相関を提供すること、を含む。順序付けられた書き込みの処理は、更に、第１のデータの部分を含むキャッシュ・スロットに対するポインタの環状にリンク付けされたリストを保持することを含み得る。順序付けられた書き込みの処理は、更に、データ記憶装置のキャッシュのスロット内において第２のデータの部分を受信すること、第１のデータの部分に対応する全てのデータがデータ記憶装置に転送されたことを示すメッセージを受信すること、を含み得る。順序付けられた書き込みの処理は、更に、メッセージの受信に応答して、第１のデータの部分から論理記憶装置にデータを記憶することを含み得る。順序付けられた書き込みの処理は、更に、ハッシュ・テーブルを用いて、第２のデータの部分からのデータを含むキャッシュ・スロットとデータ記憶装置の論理記憶装置の場所との間の相関を提供することを含み得る。順序付けられた書き込みの処理は、更に、第２のデータの部分を含むキャッシュ・スロットに対するポインタの環状にリンク付けされたリストを保持することを含み得る。ハッシュ・テーブルは、キャッシュのスロットに対するポインタのテーブルであってもよい。順序付けられた書き込みの処理では、コリジョンに対応して、ハッシュ・テーブルのエントリーが第１のスロットへのポインタを含み、第１のスロットが第２のスロットへのポインタを含んでいてもよい。
【００１１】
更に、本発明によると、データ記憶装置への順序付けられた書き込みを処理するコンピュータ・ソフトウェアは、データ記憶装置のキャッシュのスロット内において第１のデータの部分を受信する実行可能なコードと、ハッシュ・テーブルを用いて、第１のデータの部分からのデータを含むキャッシュ・スロットとデータ記憶装置の論理記憶装置の場所との間の相関を提供する実行可能なコードと、を含む。コンピュータ・ソフトウェアは、更に、第１のデータの部分を含むキャッシュ・スロットに対するポインタの環状にリンク付けされたリストを保持する実行可能なコードを含み得る。コンピュータ・ソフトウェアは、更に、データ記憶装置のキャッシュのスロット内において第２のデータの部分を受信する実行可能なコードと、第１のデータの部分に対応する全てのデータがデータ記憶装置に転送されたことを示すメッセージを受信する実行可能なコードと、を含み得る。コンピュータ・ソフトウェアは、更に、メッセージの受信に応答して、第１のデータの部分から論理記憶装置にデータを記憶する実行可能なコードを含み得る。コンピュータ・ソフトウェアは、更に、ハッシュ・テーブルを用いて、第２のデータの部分からのデータを含むキャッシュ・スロットとデータ記憶装置の論理記憶装置の場所との間の相関を提供する実行可能なコードを含み得る。コンピュータ・ソフトウェアは、更に、第２のデータの部分を含むキャッシュ・スロットに対するポインタの環状にリンク付けされたリストを保持する実行可能なコードを含み得る。ハッシュ・テーブルは、キャッシュのスロットに対するポインタのテーブルであってもよい。コンピュータ・ソフトウェアは、更に、コリジョンに対応して、ハッシュ・テーブルのエントリーとして第１のスロットへのポインタを提供し、かつ第１のスロットに第２のスロットへのポインタを提供する実行可能なコードを含み得る。
【００１２】
更に、本発明によると、データ記憶装置は、データを含む少なくとも一つのディスク・ドライブと、少なくとも一つのディスク・ドライブに接続され、少なくとも一つのディスク・ドライブに記憶されるべきデータを受信する少なくとも一つのホスト・アダプタと、少なくとも一つのディスク・ドライブおよび少なくとも一つのホスト・アダプタに接続され、データ記憶装置に記憶されるべきデータを受信する少なくとも一つのリモート・アダプタと、を含み、データ記憶装置は、データ記憶装置のキャッシュのスロット内において第１のデータの部分を受信し、ハッシュ・テーブルを用いて、第１のデータの部分からのデータを含むキャッシュ・スロットとデータ記憶装置の論理記憶装置の場所との間の相関を提供する。データ記憶装置は、第１のデータの部分を含むキャッシュ・スロットに対するポインタの環状にリンク付けされたリストを保持し得る。データ記憶装置は、データ記憶装置のキャッシュのスロット内において第２のデータの部分を受信し、第１のデータの部分に対応する全てのデータがデータ記憶装置に転送されたことを示すメッセージを受信する。メッセージの受信に応答して、データ記憶装置は、第１のデータの部分からのデータを論理記憶装置に記憶する。
【発明を実施するための最良の形態】
【００１３】
図１を参照すると、ダイアグラム２０は、ホスト２２と、ローカル記憶装置２４と、リモート記憶装置２６との関係を示す。ホスト２２は、ホスト２２とローカル記憶装置２４との間のインターフェースを促進するホスト・アダプタ（ＨＡ：host adapter）２８を介してローカル記憶装置２４からデータを読み出す、あるいは、そこに書き込む。ダイアグラム２０には、一つのホスト２２と一つのＨＡ２８のみが示されているが、多数のＨＡが使用されてもよいし、一つ以上のＨＡに一つ以上のホストが接続されてもよいことは当業者には理解されるであろう。
【００１４】
ローカル記憶装置２４からのデータは、ＲＤＦリンク２９を介してリモート記憶装置２６にコピーされ、リモート記憶装置２６上のデータがローカル記憶装置２４上のデータと同一になる。一つのリンク２９のみが示されているが、記憶装置２４と記憶装置２６の間で追加的なリンクを設け、記憶装置２４および記憶装置２６の一方または両方と、他の記憶装置（図示せず）との間にリンクを設けることも可能である。ローカル記憶装置２４からリモート記憶装置２６へのデータの転送の間には時間遅延があるため、リモート記憶装置２６は、ある瞬間にローカル記憶装置２４上のデータと同一ではないデータを含み得ることに注意する。ＲＤＦを用いる通信は、本願に参照として組み込まれる例えば、米国特許第５，７４２，７９２号明細書に開示されている。
【００１５】
ローカル記憶装置２４は、第１の複数のＲＤＦアダプタ・ユニット（ＲＡ：RDF adapter unit）３０ａ，３０ｂ，３０ｃを含み、リモート記憶装置２６は第２の複数のＲＡ３２ａ−３２ｃを含む。ＲＡ３０ａ−３０ｃ，３２ａ−３０ｃは、ＲＤＦリンク２９に接続され、ホスト・アダプタ２８と同様に記憶装置２４と記憶装置２６との間でデータを転送するために使用される。ＲＡ３０ａ−３０ｃ，３２ａ−３０ｃに関連して使用されるソフトウェアは以下に詳細に説明される。
【００１６】
記憶装置２４，２６は、一つ以上のディスクを含み、それらのディスクのそれぞれは、記憶装置２４，２６にそれぞれ記憶されるデータの異なる部分を含み得る。図１は、記憶装置２４が複数のディスク３３ａ，３３ｂ，３３ｃを含み、記憶装置２６が複数のディスク３４ａ，３４ｂ，３４ｃを含むことを示している。本明細書で記載されるＲＤＦ機能は、ＲＤＦを用いてローカル記憶装置２４のディスク３３ａ−３３ｃの少なくとも一部に対するデータがリモート記憶装置２６のディスク３４ａ−３４ｃの少なくとも一部にコピーされるように適用される。記憶装置２４，２６の他のデータが記憶装置２４と記憶装置２６との間でコピーされず、従って、同一ではない場合もある。
【００１７】
各ディスク３３ａ−３３ｃは、対応する一つのディスク３３ａ−３３ｃにデータを供給するとともに、対応する一つのディスク３３ａ−３３ｃからデータを受信するディスク・アダプタ・ユニット（ＤＡ：disk adapter unit ）３５ａ，３５ｂ，３５ｃに接続される。同様にして、リモート記憶装置２６の複数のＤＡ３６ａ，３６ｂ，３６ｃは、対応する一つのディスク３４ａ−３４ｃにデータを供給するとともに、対応する一つのディスク３４ａ−３４ｃからデータを受信するために使用される。内部データ経路は、ローカル記憶装置２４のＤＡ３５ａ−３５ｃと、ＨＡ２８と、ＲＡ３０ａ−３０ｃとの間で存在する。同様にして、内部データ経路は、リモート記憶装置２６のＤＡ３６ａ−３６ｃと、ＲＡ３２ａ−３２ｃとの間で存在する。他の実施形態では、一つ以上のディスクが一つのＤＡからサービスを受けることが可能であり、一つ以上のＤＡが一つのディスクにサービスすることが可能であることに注意する。
【００１８】
ローカル記憶装置２４は、ＤＡ３５ａ−３５ｃと、ＨＡ２８と、ＲＡ３０ａ−３０ｃとの間のデータ転送を促進するために使用されるグローバル・メモリ３７も含む。メモリ３７は、一つ以上のＤＡ３５ａ−３５ｃと、ＨＡ２８と、ＲＡ３０ａ−３０ｃとによって実施されるべきタスク、および一つ以上のディスク３３ａ−３３ｃからフェッチされるデータ用のキャッシュを含む。同様にして、リモート記憶装置２６は、一つ以上のＤＡ３６ａ−３６ｃと、ＲＡ３２ａ−３２ｃとによって実施されるべきタスク、および、一つ以上のディスク３４ａ−３４ｃからフェッチされるデータ用のキャッシュを含むグローバル・メモリ３８を含む。メモリ３７，３８の使用については、以下により詳細に説明される。
【００１９】
ディスク３３ａ−３３ｃに対応するローカル記憶装置２４における記憶空間は、複数のボリュームまたは論理装置に細分化される。論理装置は、ディスク３３ａ−３３ｃの物理的な記憶空間に対応していても、対応しなくてもよい。従って、例えば、ディスク３３ａが複数の論理装置を含む、あるいは、単一の論理装置がディスク３３ａ，３３ｂの双方にまたがっていてもよい。同様にして、ディスク３４ａ−３４ｃを備えるリモート記憶装置２６に対する記憶空間が複数のボリュームまたは論理装置に細分化されており、各論理装置は一つ以上のディスク３４ａ−３４ｃに対応していても、対応しなくてもよい
ローカル記憶装置２４の一部とリモート記憶装置２６の一部との間でＲＤＦマッピングを提供することは、ローカル記憶装置２４の論理装置に対するリモート・ミラーである、リモート記憶装置２６の論理装置を設定することを含む。ホスト２２は、ローカル記憶装置２４の論理装置からデータを読み出し、且つ、そこに書き込み、ＲＤＦマッピングにより変更されたデータがローカル記憶装置２４からリモート記憶装置２６にＲＡ３０ａ−３０ｃ，３２ａ−３２ｃ、およびＲＤＦリンク２９を用いて転送される。安定状態の動作では、リモート記憶装置２６の論理装置はローカル記憶装置の論理装置のデータと同一のデータを含み、ホスト２２によってアクセスされるローカル記憶装置２４の論理装置は、「Ｒ１ボリューム」（または単に「Ｒ１」）と称され、Ｒ１ボリュームのデータのコピーを含むリモート記憶装置２６の論理装置は「Ｒ２ボリューム」（または単に「Ｒ２」）と称される。ホストは、データをＲ１から読み出し、且つ、そこに書き込み、ＲＤＦはＲ１ボリュームからＲ２ボリュームへのデータの自動コピーおよび更新を取り扱う。
【００２０】
図２は、ホスト２２からローカル記憶装置２４およびリモート記憶装置２６に至るデータの経路を示す。ホスト２２からローカル記憶装置２４に書き込まれるデータは、ローカル記憶装置２４のデータ素子５１によって示されるように、局所的に記憶される。ホスト２２によってローカル記憶装置２４に書き込まれるデータは、リンク２９を介してローカル記憶装置２４からリモート記憶装置２６に送られることに関連してローカル記憶装置２４によっても保持される。
【００２１】
本明細書に記載のシステムでは、ホスト２２（例えば、レコード、複数のレコード、トラック等）による各データ書き込みにはシーケンス番号が割り当てられる。シーケンス番号は、書き込みに関連付けられる適当なデータ・フィールドで提供されてもよい。図２において、ホスト２２による書き込みは、シーケンス番号Ｎが割り当てられて示されている。シーケンス番号Ｎが割り当てられたホスト２２によって実施される全ての書き込みは、データの単一の部分５２の形態で収集される。部分５２は、ほぼ同時に生ずるホスト２２による複数の別個の書き込みを表す。
【００２２】
一般的に、ローカル記憶装置２４は、一つのシーケンス番号の部分を累積する一方で、前に累積された部分（前のシーケンス番号を有する）をリモート記憶装置２６に送信する。従って、ローカル記憶装置２４が、シーケンス番号Ｎが割り当てられたホスト２２からの書き込みを累積する間に、前のシーケンス番号（Ｎ−１）に対して生じた書き込みは、ローカル記憶装置２４からリンク２９を介してリモート記憶装置２６に送信される。部分５４は、リモート記憶装置２６にまだ送信されていないシーケンス番号Ｎ−１が割り当てられたホスト２２からの書き込みを表す。
【００２３】
リモート記憶装置２６は、シーケンス番号Ｎ−１が割り当てられた書き込みに対応する部分５４からデータを受信して、シーケンス番号Ｎ−１を有するホスト書き込みの新たな部分５６を構成する。データは、リンク２９上で送信されたデータを承認する適当なＲＤＦプロトコルを用いて送信されてもよい。リモート記憶装置２６が部分５４から全てのデータを受信すると、ローカル記憶装置２４は、リモート記憶装置２６に委任メッセージを送信して、部分５６に対応するＮ−１のシーケンス番号が割り当てられた全てのデータを委任する。一般的に、一旦、特定のシーケンス番号に対応する部分が委任されると、該部分は、論理記憶装置に記憶される。これは、図２において示され、部分５８がシーケンス番号Ｎ−２（即ち、ホスト２２によるローカル記憶装置２６への書き込みに関連して使用されている現在のシーケンス番号の二つ前）が割り当てられた書き込みに対応する。図２において、部分５８は、リモート記憶装置２６用のディスク記憶部を表すデータ素子６２に書き込まれるものとして示される。従って、前のシーケンス番号（Ｎ−２）に対応する部分５８がデータ素子６２によって示されるリモート記憶装置２６のディスク記憶部に書き込まれる間、リモート記憶装置２６がシーケンス番号Ｎ−１に対応する部分５６を受信し累積する。一部の実施形態では、部分５８に対するデータは、書き込み用にマーキングされ（必ずしも直ちに書き込まれる訳ではない）、部分５６に対するデータはマーキングされない。
【００２４】
動作の間、ホスト２２は、データ素子５１に局所的に記憶されるとともに、部分５２に累積されるデータをローカル記憶装置２４に書き込む。一旦、特定のシーケンス番号に対する全てのデータが累積されると（本明細書の他の所で説明される）、ローカル記憶装置２４はシーケンス番号をインクリメントする。現在のシーケンス番号よりも一つ少ないものに対応する部分５４からのデータは、リンク２９を介してローカル記憶装置２４からリモート記憶装置２６に転送される。部分５８は、リモート記憶装置２６にメッセージを送信するローカル記憶装置２４から委任されたシーケンス番号に対するデータに対応する。部分５８からのデータは、リモート記憶装置２６のディスク記憶部に書き込まれる。
【００２５】
特定の一つの部分５２，５４，５６，５８内の書き込みが必ずしも順序付けされていなくてもよいことに注意する。しかしながら、本明細書の他の所でより詳細に説明されているように、シーケンス番号Ｎ−２に対応する部分５８に対する全ての書き込みは、シーケンス番号Ｎ−１に対応する部分５４，５６に対するいずれかの書き込みが開始される前に開始される。更に、シーケンス番号Ｎ−１に対応する部分５４，５６に対する全ての書き込みは、シーケンス番号Ｎに対応する部分５２に対するいずれかの書き込みが開始される前に開始される。従って、ローカル記憶装置２４とリモート記憶装置２６との間での通信障害の際、リモート記憶装置２６は、データの最後に委任された部分（図２の例では部分５８）の書き込みを単に終えることで、データ素子６２がある時間点より前に開始された全ての書き込みを含み、該時間点より後に開始された書き込みを含まないことに関して、リモート記憶装置２６でのデータの状態の順序付けが確実となる。従って、Ｒ２は、Ｒ１の時間点のコピーを常に含み、Ｒ２装置から一貫した画像を再確立することが可能である。
【００２６】
図３を参照すると、ダイアグラム７０は、部分５２，５４を構成し保持するために使用されるアイテムを示す。標準的な論理装置７２は、ホスト２２によって書き込まれるデータを含み、図２のデータ素子５１および図１のディスク３３ａ−３３ｃに対応する。標準的な論理装置７２は、ホスト２２によってローカル記憶装置２４に書き込まれたデータを含む。
【００２７】
二つのポインタのリンク付けされたリスト７４，７６が標準的な論理装置７２に関連して使用される。リンク付けされたリスト７４，７６は、例えば、ローカル記憶装置２４のメモリ３７に記憶され得るデータに対応する。リンク付けされたリスト７４は、ローカル記憶装置２４に関連して使用されるキャッシュ８８のスロットをそれぞれ指定する複数のポインタ８１−８５を含む。同様にして、リンク付けされたリスト７６は、キャッシュ８８のスロットをそれぞれ指定する複数のポインタ９１−９５を含む。一部の実施形態では、キャッシュ８８は、ローカル記憶装置２４のメモリ３７に設けられる。キャッシュ８８は、標準的な論理装置７２への書き込みに関連して使用され、同時に、リンク付けされたリスト７４，７６に関連して使用される複数のキャッシュ・スロット１０２−１０４を含む。
【００２８】
リンク付けされたリスト７４，７６のそれぞれは、データの部分５２，５４のうちの一つのために使用されてもよい。例えば、リンク付けされたリスト７４はシーケンス番号Ｎに対するデータの部分５２に対応し、リンク付けされたリスト７６はシーケンス番号Ｎ−１に対するデータの部分５４に対応してもよい。データがホスト２２によりローカル記憶装置２４に書き込まれると、データはキャッシュ８８に供給され、場合によっては（本明細書の他の所で説明される）、リンク付けされたリスト７４の適当なポインタが形成される。本明細書の他の所で説明されるように、データが標準的な論理装置７２にデステージされ、且つ、そのデータがリンク付けされたリスト７４のポインタ８１−８５のうちの一つによってもはや指定されなくなるまで、データはキャッシュ８８から除去されないことに注意する。
【００２９】
本明細書の実施形態において、リンク付けされたリスト７４，７６の一方は「活性的」と判断され、他方は「不活性」と判断される。例えば、シーケンス番号が偶数である場合、リンク付けされたリスト７４は活性的であり、リンク付けされたリスト７６は不活性である。リンク付けされたリスト７４，７６のうちの活性的なリストは、ホスト２２からの書き込みを取り扱い、リンク付けされたリスト７４，７６のうちの不活性なリストはローカル記憶装置２４からリモート記憶装置２６に送信されるデータに対応する。
【００３０】
ホスト２２によって書き込まれるデータがリンク付けされたリスト７４，７６のうちの活性的なリスト（シーケンス番号Ｎに対応する）を用いて累積され、リンク付けされたリスト７４，７６のうちの不活性のリスト（前のシーケンス番号Ｎ−１に対応する）に対応するデータはローカル記憶装置２４からリモート記憶装置２６に送信される。ＲＡ３０ａ−３０ｃは、リンク付けされたリスト７４，７６を用いて、ローカル記憶装置２４からリモート記憶装置２６に送信するデータを決定する。
【００３１】
一旦、リンク付けされたリスト７４，７６のうちの一つにおける特定の一つのポインタに対応するデータがリモート記憶装置２６に送信されると、この特定の一つのポインタは、適当な一方のリンク付けされたリスト７４，７６から除去されてもよい。更に、データは、スロット中のデータが別の目的（例えば、標準的な論理装置７２へのデステージ）のために必要でないことを前提として、キャッシュ８８から除去されるようマーキングされてもよい（即ち、スロットは後の関係のない使用のためにスロットのプールに戻される）。全ての装置がもはやデータを使用しなくなるまでデータがキャッシュ８８から除去されないことを確実にするために特定の機構が使用されてもよい。このような機構は、例えば、１９９６年７月１６日に発行された米国特許第５，５３７，５６８号明細書、および２００１年７月７日に出願された米国特許出願第０９／８５０，５５１号明細書に記載されており、それぞれ本明細書に参照として組み込まれる。
【００３２】
図４を参照すると、スロット１２０、例えば、キャッシュ８８のスロット１０２−１０４のうちの一つは、ヘッダ１２２とデータ１２４とを含む。ヘッダ１２２は、スロット１２０を管理するためにシステムによって使用されるオーバーヘッド情報に対応する。データ１２４は、スロット１２０に（一時的に）記憶されるディスクからの対応するデータである。ヘッダ１２２における情報は、ディスクに戻すポインタ、タイム・スタンプ等を含む。
【００３３】
ヘッダ１２２は、更に、本明細書に記載のシステムに関連して使用されるキャッシュ・スタンプ１２６を含む。本明細書の実施形態において、キャッシュ・スタンプ１２６は、８バイトである。そのうちの２バイトは、スロット１２０が本明細書に記載のシステムによって使用されているか否かを示す「パスワード」である。他の実施形態において、パスワードが１バイトで後続するバイトがパッドのために使用されてもよい。本明細書の他の所で説明されるように、特定の値に等しい２バイトのパスワード（場合によっては１バイト）は、スロット１２０がリンク付けされたリスト７４，７６のうちの少なくとも一つのエントリーによって指定されていることを示す。特定の値に等しくないパスワードは、スロットがリンク付けされたリスト７４，７６のエントリーによって指定されていないことを示す。パスワードの使用は本明細書の他の所で説明される。
【００３４】
キャッシュ・スタンプ１２６は、スロット１２０のデータ１２４のシーケンス番号（例えば、Ｎ，Ｎ−１，Ｎ−２等）を示す２バイトのフィールドを含む。本明細書の他の所で説明されるように、キャッシュ・スタンプ１２６のシーケンス番号のフィールドは、本明細書に記載の処理を促進するために使用されてもよい。キャッシュ・スタンプ１２６の残りの４バイトは、本明細書の他の所で説明されるようにポインタのために使用されてもよい。当然のことながら、シーケンス番号の２バイトと、ポインタの４バイトは、スロット１２０が一方のリスト７４，７６における少なくとも一つのエントリーによって指定されていることを示す特定の値にパスワードが等しいときにのみ有効である。
【００３５】
図５を参照すると、書き込み動作を実施するホスト２２に関連してＨＡ２８によって実施されるステップを示すフロー・チャート１４０が示されている。当然のことながら、ホスト２２が書き込みを実施するとき、データがＲ１／Ｒ２  ＲＤＦグループの一部であるか否かに関わらず、通常の方法で書き込みを取り扱うよう処理が行われる。例えば、ホスト２２がディスクの一部分にデータを書き込むとき、書き込みはキャッシュ・スロットに対して行われ、最終的にディスクにデステージされる。キャッシュ・スロットは、新たなキャッシュ・スロットでもよいし、あるいは、同じトラックに対する前の読み取りおよび／または書き込み動作に関連して作成された既存のキャッシュ・スロットでもよい。
【００３６】
処理は、第１のステップ１４２から開始され、書き込みに対応するスロットがロックされる。本明細書の実施形態では、キャッシュ８８の各スロット１０２−１０４は、標準的な論理装置７２上のデータのトラックに対応する。ステップ１４２においてスロットをロックすることで、フロー・チャート１４０のステップに対応するＨＡ２８によって実施される処理中に当該スロットに対して更なる処理が動作されることが防止される。
【００３７】
ステップ１４２に後続するステップ１４４では、シーケンス番号に対する値がＮに設定される。本明細書の他の所で説明されるように、ステップ１４４において得られるシーケンス番号に対する値は、スロットがロックされている間にＨＡ２８によって実施される書き込み動作全体にわたって保持される。本明細書の他の所で説明されるように、シーケンス番号は、書き込みが属するデータの部分５２，５４のうちの一つを設定するために各書き込みに割り当てられる。ホスト２２によって実施される書き込みには、現在のシーケンス番号が割り当てられる。単一の書き込み動作が全体にわたって同一のシーケンス番号を保持することが有用である。
【００３８】
ステップ１４４に後続する検査ステップ１４６では、キャッシュ・スロットのパスワード・フィールドが有効であるか否かが判断される。上述したように、本明細書に記載のシステムは、キャッシュ・スロットが、ポインタのリンク付けされたリスト７４，７６のうちの一つに既に存在することを示すためにパスワード・フィールドを所定の値に設定する。ステップ１４６においてパスワード・フィールドが有効ではないと判断された場合（スロットが新たに、リスト７４，７６からのどのポインタもスロットを指定しない）、ステップ１４６からステップ１４８に制御が渡り、パスワードを所定の値に設定し、シーケンス番号フィールドをＮに設定し、更に、ポインタ・フィールドをヌルに設定することで新たなスロットのキャッシュ・スタンプが設定される。他の実施形態では、ポインタ・フィールドは、スロット自体を指定するよう設定される。
【００３９】
ステップ１４８に後続するステップ１５２では、新たなスロットへのポインタがポインタのリスト７４，７６のうちの活性的なリストに追加される。本明細書の実施形態において、リスト７４，７６は、円形の二重にリンク付けられたリストであり、新たなポインタは従来の方法で円形の二重にリンク付けされたリストに追加される。当然のことながら、他の適当なデータ構造がリスト７４，７６を管理するために使用されてもよい。ステップ１５２に後続するステップ１５４では、フラグが設定される。ステップ１５４において、ＲＤＦ＿ＷＰフラグ（ＲＤＦ書き込み保留（RDF write pending ）フラグ）が、スロットがＲＤＦを用いてリモート記憶装置２６に送信される必要があることを示すために設定される。更に、ステップ１５４では、ＩＮ＿ＣＡＣＨＥフラグが、スロットが標準的な論理装置７２にデステージされる必要があることを示すために設定される。ステップ１５４に後続するステップ１５６では、ホスト２２およびＨＡ２８によって書き込まれるデータがスロットに書き込まれる。ステップ１５６に後続するステップ１５８では、スロットがアンロックされる。ステップ１５８に後続して、処理が完了される。
【００４０】
スロットのパスワード・フィールドが有効であると検査ステップ１４６において判断された場合（スロットがリスト７４，７６のうちの少なくとも一つのポインタによって既に指定されていることを示す）、ステップ１４６から検査ステップ１６２に制御が渡り、スロットのシーケンス番号のフィールドが現在のシーケンス番号Ｎに等しいか否かが判断される。有効なパスワードを有するスロットのシーケンス番号のフィールドに対して二つの有効な可能性が存在することに注意する。一つは、シーケンス番号のフィールドが現在のシーケンス番号であるＮに等しい可能性である。これは、シーケンス番号Ｎを有する前の書き込みにスロットが対応するときに生ずる。もう一方の可能性は、シーケンス番号のフィールドがＮ−１に等しくなることである。これは、シーケンス番号Ｎ−１を有する前の書き込みにスロットが対応するときに生ずる。シーケンス番号のフィールドに対する全ての他の値は無効である。従って、一部の実施形態では、ステップ１６２においてエラー／有効性チェックを含むことも可能であり、あるいは、エラー／有効性チェックを別のステップとして設けてもよい。このようなエラーは、メッセージをユーザに供給することを含む全ての適当な方法で取り扱われる。
【００４１】
スロットのシーケンス番号のフィールドにおける値が現在のシーケンス番号Ｎに等しいとステップ１６２において判断された場合、特別な処理は必要なく、ステップ１６２からステップ１５６に制御が渡り、上述のように、データがスロットに書き込まれる。シーケンス番号のフィールドの値がＮ−１（唯一の他の有効値）である場合、ステップ１６２からステップ１６４に制御が渡り、新たなスロットが得られる。ステップ１６４において得られる新たなスロットは、書き込まれるデータを記憶するために使用される。
【００４２】
ステップ１６４に後続するステップ１６６では、古いスロットからのデータがステップ１６４で得られた新たなスロットにコピーされる。コピーされたデータは、スロットが最初に作成されたときに前の書き込みに対してステップ１５４で設定されているべきであるＲＤＦ＿ＷＰフラグを含む。ステップ１６６に後続するステップ１６８では、パスワード・フィールドを適当な値に設定し、シーケンス番号のフィールドを現在のシーケンス番号Ｎに設定し、ポインタ・フィールドが古いスロットを指定するように設定することで、新たなスロットに対するキャッシュ・スタンプが設定される。ステップ１６８に後続するステップ１７２では、新たなスロットへのポインタがリンク付けされたリスト７４，７６のうちの活性的なリストに追加される。この場合、新たなスロットであるスロットにデータが書き込まれる上述のステップ１５６がステップ１７２に後続される。
【００４３】
図６を参照すると、フロー・チャート２００は、ローカル記憶装置２４からリモート記憶装置２６にＲＤＦデータを送信するためにリスト７２，７４のうちの不活性なリストをスキャンするＲＡ３０ａ−３０ｃに関連して実施されるステップを示す。上述したように、リスト７２，７４のうちの不活性なリストは、リスト７２，７４のうちの活性的なリストを用いてホストからＮサイクルがＲ１装置に書き込まれているときに、Ｒ１装置に対するＮ−１サイクルに対応するスロットを指定する。
【００４４】
処理は、第１のステップ２０２から開始され、リスト７２，７４のうちの不活性なリストにエントリーが存在するか否かが判断される。データが送信されると、対応するエントリーは、リスト７２，７４のうちの不活性なリストから除去される。加えて、新たな書き込みは、一般的に、リスト７２，７４のうちの不活性なリストにではなく、リスト７２，７４のうちの活性的なリストに供給される。従って、リスト７２，７４のうちの不活性なリストは、時間によってはデータを含まないことがある（本明細書の他の所で説明されるように、それが望ましい）。ステップ２０２において、送信されるべきデータが存在しないと判断されると、リスト７２，７４のうちの不活性なリストは、データが利用可能となるまで連続的にポーリングされる。送信するデータは、リスト７２，７４のうちの不活性なリストがリスト７２，７４のうちの活性的なリストになるか、あるいは、その逆になるサイクル切換（本明細書の他の所で説明される）に関連して利用可能となる。
【００４５】
ステップ２０２において、送信するのに利用可能なデータが存在すると判断されると、ステップ２０２からステップ２０４に制御が渡り、スロットが正しいことが確認される。ステップ２０４において実施される処理は、パスワード・フィールドが正しいことを確認すること、および、シーケンス番号のフィールドが正しいことを確認することを含む任意の「正常検査（sanity check）」である。スロットに正しくない（予想しない）データが存在する場合、エラーをユーザに通知し、可能性として、エラー回復処理を行うことを含むエラー処理が実施される。
【００４６】
ステップ２０４に後続するステップ２１２では、データが従来の方法でＲＤＦを介して送信される。本明細書の実施形態では、スロット全体は送信されない。その代わりに、適当なミラー・ビットの組（レコードが変更されたことを示す）を有するスロット内のレコードだけがリモート記憶装置２６に送信される。しかしながら、他の実施形態では、リモート記憶装置２６が適当なミラー・ビットの組を有するレコードに対応するデータだけを書き込み、有効か否かが分からないトラックに対する他のデータを無視することを前提として、スロット全体が送信されることも可能である。ステップ２１２に後続する検査ステップ２１４では、送信されたデータがＲ２装置によって承認されたか否かが判断される。承認されない場合、ステップ２１４からステップ２１２に戻るフローで示されるようにデータが再送信される。他の実施形態では、データを送信して、その受信に応答するために別のより複雑な処理が使用されてもよい。このような処理は、データを送信する試みが数回失敗した後に実施されるエラー報告および代替の処理を含む。
【００４７】
一旦、ステップ２１４においてデータの送信が成功であったと判断されると、ステップ２１４からステップ２１６に制御が渡り、ＲＤＦ＿ＷＰフラグ（データの送信がＲＤＦを介して成功であったため）が消去される。ステップ２１６に後続するステップ２１８では、スロットが、リスト７２，７４のうちの不活性なリストに既存のエントリーを既に有するスロットへの書き込みに関連して作成された複製スロットであるか否かが判断される。この可能性は、ステップ１６２，１６４，１６６，１６８，１７２に関連して上述されている。ステップ２１８においてスロットが複製スロットであると判断されると、ステップ２１８からステップ２２２に制御が渡り、スロットが利用可能なスロットのプールに（再使用のために）戻される。更に、スロットで提供されるデータが全ての他の目的のためには有効ではないため、他のスロットより前に直ちに再使用されるよう、スロットは古くされる（または、何らかの他の適当な機構が適用される）。ステップ２２２またはスロットが複製スロットではない場合にはステップ２１８に後続するステップ２２４では、スロット・ヘッダのパスワード・フィールドが消去される、スロットが再使用されるときに、図５のステップ１４６における検査がスロットを新たなスロットとして正しく分類する。
【００４８】
ステップ２２４に後続するステップ２２６では、リスト７２，７４のうちで不活性なリストにおけるエントリーが除去される。ステップ２２６に後続して、制御がステップ２０２に戻り、上述したように、転送される必要があるデータに対応する追加的なエントリーがリスト７２，７４のうちの不活性なリストに存在するか否かが判断される。
【００４９】
図７を参照すると、ダイアグラム２４０は、リモート記憶装置２６によって使用される部分５６，５８の作成および操作を示す。リンク２９を介してリモート記憶装置２６によって受信されたデータは、リモート記憶装置２６のキャッシュ２４２に供給される。キャッシュ２４２は、例えば、リモート記憶装置２６のメモリ３８に設けられる。キャッシュ２４２は、標準的な論理記憶装置２５２のトラックにそれぞれマッピングされ得る複数のキャッシュ・スロット２４４−２４６を含む。キャッシュ２４２は、図３のキャッシュ８８に類似し、リモート記憶装置２６の標準的な論理記憶装置２５２にデステージされ得るデータを含み得る。標準的な論理記憶装置２５２は、図２に示すデータ素子６２および図１に示すディスク３４ａ−３４ｃに対応する。
【００５０】
リモート記憶装置２６は、更に、一対のキャッシュ専用仮想装置（ＣＯＶＤ：cache only virtual device ）２５４，２５６を含む。キャッシュ専用仮想装置２５４，２５６は、例えば、リモート記憶装置２６のメモリ３８に記憶され得る装置テーブルを対応付ける。各キャッシュ専用仮想装置２５４，２５６のテーブルのトラック・エントリーは、標準的な論理装置２５２のトラックを指定するか、キャッシュ２４２のスロットを指定する。キャッシュ専用仮想装置は、２００３年３月２５日に出願された「揮発性メモリを使用する仮想記憶装置（VIRTUAL STORAGE DEVICE THAT USES VOLATILE MEMORY）」なる名称の同時係属中の米国特許出願第１０／３９６，８００号明細書に記載されている。この出願は、本明細書に参照として組み込まれる。
【００５１】
複数のキャッシュ・スロット２４４−２４６が標準的な論理装置２５２への書き込みに関連して使用されてもよく、同時に、キャッシュ専用仮想装置２５４，２５６に関連して使用されてもよい。本明細書の実施形態では、キャッシュ専用仮想装置２５４，２５６のトラック・テーブル・エントリーのそれぞれは、該トラックに対するデータが標準的な論理装置２５２の対応するトラックに記憶されていることを示すためにヌルを含む。さもなければ、各キャッシュ専用仮想装置２５４，２５６に対するトラック・テーブルにおけるエントリーは、キャッシュ２４２のスロット２４４−２４６のうちの一つに対するポインタを含む。
【００５２】
キャッシュ専用仮想装置２５４，２５６のそれぞれは、データの部分５６，５８の一つに対応する。例えば、キャッシュ専用仮想装置２５４がデータの部分５６に対応し、キャッシュ専用仮想装置２５６がデータの部分５８に対応する。本明細書の実施形態では、キャッシュ専用仮想装置２５４，２５６のうちの一方が「活性的」と判断され、キャッシュ専用仮想装置２５４，２５６の他方が「不活性」と判断される。キャッシュ専用仮想装置２５４，２５６のうちの不活性な仮想装置は、ローカル記憶装置２４から受信されているデータに対応し（即ち、部分５６）、キャッシュ専用仮想装置２５４，２５６のうちの活性的な仮想装置は、標準的な論理装置２５２に復元される（書き込まれる）データに対応する。
【００５３】
リンク２９を介して受信されるローカル記憶装置２４からのデータは、キャッシュ２４２のスロット２４４−２４６のうちの一つに配置される。キャッシュ専用仮想装置２５４，２５６のうちの不活性な仮想装置の対応するポインタが受信したデータを指定するよう設定される。同じシーケンス番号を有するその後のデータは同様にして処理される。ある時点で、ローカル記憶装置２４は、同じシーケンス番号を用いて送信された全てのデータを委任するメッセージを供給する。一旦、特定のシーケンス番号に対するデータが委任されると、キャッシュ専用仮想装置２５４，２５６のうちの不活性な仮想装置が活性的となるか、あるいは、その逆となる。その時点で、キャッシュ専用仮想装置２５４，２５６のうちの現在活性的な仮想装置からのデータが標準的な論理装置２５２にコピーされ、キャッシュ専用仮想装置２５４，２５６のうちの不活性な仮想装置はローカル記憶装置２４からリモート記憶装置２６に送信される新たなデータ（新たなシーケンス番号を有する）を受信するために使用される。
【００５４】
データがキャッシュ専用仮想装置２５４，２５６のうちの活性的な仮想装置から除去されると（本明細書の他の所で説明される）、キャッシュ専用仮想装置２５４，２５６のうちの活性的な仮想装置における対応するエントリーがヌルに設定される。更に、データは、スロット中のデータが別の目的（例えば、標準的な論理装置２５２へのデステージ）のために必要でないことを前提として、キャッシュ２４４から除去される（即ち、後の使用のためにフリー・スロットのプールにスロットが戻される）。全てのミラー（キャッシュ専用仮想装置２５４，２５６を含む）がもはやデータを使用しなくなるまでキャッシュ２４２からデータが除去されないことを確実にするために特定の機構が使用されてもよい。このような機構は、例えば、１９９６年７月１６日に発行された米国特許第５，５３７，５６８号明細書、および、２００１年７月７日に出願された米国特許出願第０９／８５０，５５１号明細書に記載されており、それぞれ本明細書に参照として組み込まれる。
【００５５】
本明細書の他の所で説明される一部の実施形態では、リモート記憶装置は、ローカル記憶装置２４によって使用されるリスト７４，７６のようなリンク付けされたリスト２５８，２６２を保持してもよい。リスト２５８，２６２は、変更された、対応するキャッシュ専用仮想装置２５４，２５６のスロットを識別する情報を含んでもよく、リスト２５８，２６２のうちの一方は、キャッシュ専用仮想装置２５４，２５６のうちの一方に対応し、リスト２５８，２６２のうちの他方は、キャッシュ専用仮想装置２５４，２５６のうちの他方に対応する。本明細書の他の所で説明されるように、リスト２５８，２６２はキャッシュ専用仮想装置２５４，２５６から標準的な論理装置２５２へのデータの復元を促進するために使用される。
【００５６】
図８を参照すると、フロー・チャート２７０は、ローカル記憶装置２４によってリモート記憶装置２６に送信され、委任されるシーケンス番号のデータを処理することに関連してリモート記憶装置２６によって実施されるステップを示す。本明細書の他の所で説明されるように、ローカル記憶装置２４はシーケンス番号を定期的にインクリメントする。それにより、ローカル記憶装置２４は、前のシーケンス番号に対する全てのデータの送信を終了し、前のシーケンス番号に対して委任メッセージを送信する。
【００５７】
処理は、第１のステップ２７２から開始され、委任が受信される。ステップ２７２に後続する検査ステップ２７４では、リモート記憶装置２６のキャッシュ専用仮想装置２５４，２５６のうちの活性的な仮想装置が空か否かが判断される。本明細書の他の所で説明されるように、リモート記憶装置２６のキャッシュ専用仮想装置２５４，２５６のうちの不活性な仮想装置は、ＲＤＦを用いて送信されるローカル記憶装置２４からのデータを累積するために使用され、キャッシュ専用仮想装置２５４，２５６のうちの活性的な仮想装置は標準的な論理装置２５２に復元される。
【００５８】
検査ステップ２７４においてキャッシュ専用仮想装置２５４，２５６のうちの活性的な仮想装置が空ではないと判断された場合、検査ステップ２７４からステップ２７６に制御が渡り、キャッシュ専用仮想装置２５４，２５６のうちの活性的な仮想装置に対する復元が更なる処理が実施される前に完了される。キャッシュ専用仮想装置２５４，２５６のうちの活性的な仮想装置からデータを復元することは、本明細書の他の所でより詳細に説明される。キャッシュ専用仮想装置２５４，２５６のうちの活性的な仮想装置が委任を取り扱い、次のシーケンス番号に対してデータを復元し始める前に空であることが有用である。
【００５９】
ステップ２７６に後続して、あるいは、キャッシュ専用仮想装置２５４，２５６のうちの活性的な仮想装置が空であると判断された場合にはステップ２７４に後続して、ステップ２７８では、キャッシュ専用仮想装置２５４，２５６のうちの活性的な仮想装置が不活性にされる。ステップ２７８に後続するステップ２８２では、キャッシュ専用仮想装置２５４，２５６のうちの前に不活性であった仮想装置（即ち、ステップ２７８の実行前に不活性であった仮想装置）が活性化される。ステップ２７８，２８２においてキャッシュ専用仮想装置２５４，２５６の活性的な仮想装置および不活性の仮想装置を交換することにより、次のシーケンス番号に対してローカル記憶装置２４からデータを受信し始めるようキャッシュ専用仮想装置２５４，２５６のうちの現在不活性（且つ、空）の仮想装置を準備する。
【００６０】
ステップ２８２に後続するステップ２８４では、キャッシュ専用仮想装置２５４，２５６のうちの活性的な仮想装置がリモート記憶装置２６の標準的な論理装置２５２に復元される。キャッシュ専用仮想装置２５４，２５６のうちの活性的な仮想装置の標準的な論理装置２５２への復元は、以下により詳細に説明される。しかしながら、一部の実施形態では、ステップ２８４において復元処理が開始されるが、必ずしも完了されないことに注意する。ステップ２８４に後続するステップ２８６では、ローカル記憶装置２４からリモート記憶装置２６に送られる委任が承認されてローカル記憶装置２４に戻され、ローカル記憶装置２４に委任が成功であったことを通知する。ステップ２８６に続いて、処理が完了される。
【００６１】
図９を参照すると、フロー・チャート３００は、リモート記憶装置２６がキャッシュ専用仮想装置２５４，２５６のうちの活性的な仮想装置を復元する、図８のステップ２７６，２８４をより詳細に説明する。処理は、第１のステップ３０２から開始され、ポインタがキャッシュ専用仮想装置２５４，２５６のうちの活性的な仮想装置の第１のスロットを指定するよう設定される。ポインタは、それぞれ個別に処理されるキャッシュ専用仮想装置２５４，２５６のうちの活性的な仮想装置の各トラック・テーブル・エントリーを繰り返すために使用される。ステップ３０２に後続する検査ステップ３０４では、処理されているキャッシュ専用仮想装置２５４，２５６のうちの活性的な仮想装置のトラックが標準的な論理装置２５２を指定するか否かが判断される。指定する場合は、復元するものがない。指定しない場合は、ステップ３０４からステップ３０６に制御が渡り、キャッシュ専用仮想装置２５４，２５６のうちの活性的な仮想装置の対応するスロットがロックされる。
【００６２】
ステップ３０６に後続する検査ステップ３０８では、標準的な論理装置２５２の対応するスロットがリモート記憶装置２６のキャッシュに既に存在するか否かが判断される。存在する場合は、検査ステップ２０８からステップ３１２に制御が渡り、標準的な論理装置のスロットがロックされる。ステップ３１２に後続するステップ３１４では、キャッシュ専用仮想装置２５４，２５６のうちの活性的な仮想装置からのデータが標準的な論理装置２５２に対するキャッシュにおけるデータと統合される。ステップ３１４においてデータを統合することは、キャッシュ専用仮想装置２５４，２５６のうちの活性的な仮想装置の新たなデータで標準的な論理装置に対するデータを上書きすることを含む。レコード・レベル・フラグを提供する実施形態では、キャッシュ専用仮想装置２５４，２５６のうちの活性的な仮想装置からの新たなレコードをキャッシュにおける標準的な論理装置２５２のレコードに対して単にＯＲすることも可能であることに注意する。つまり、レコードが交互配置される場合、変更されたキャッシュ専用仮想装置２５４，２５６のうちの活性的な仮想装置からのレコードを使用し、そのレコードを標準的な論理装置２５２のキャッシュ・スロットに供給することのみが必要である。ステップ３１４に後続するステップ３１６では、標準的な論理装置２５２のスロットがアンロックされる。ステップ３１６に後続するステップ３１８では、処理されているキャッシュ専用仮想装置２５４，２５６のうちの活性的な仮想装置のスロットもアンロックされる。
【００６３】
検査ステップ３０８において、標準的な論理装置２５２の対応するスロットがキャッシュに存在しないと判断された場合、検査ステップ３０８からステップ３２２に制御が渡り、標準的な論理装置２５２のスロットがキャッシュにあり（例えば、ＩＮ＿ＣＡＣＨＥフラグが設定されてもよい）デステージされる必要があることを示すために標準的な論理装置２４２のスロットに対するトラック・エントリーが変更される。本明細書の他の所で説明されるように、一部の実施形態では、適当なミラー・ビット・セットを有するトラックのレコードだけがデステージされる必要がある。ステップ３２２に後続するステップ３２４では、トラックに対するデータがキャッシュに存在することを示すためにトラックに対するフラグが設定される。
【００６４】
ステップ３２４に後続するステップ３２６では、標準的な論理装置２５２に対するスロット・ポインタがキャッシュにおけるスロットを指定するよう変更される。ステップ３２６に後続する検査ステップ３２８では、ステップ３２２，３２４，３２６において実施された動作が成功であったか否かが判断される。場合によっては、「比較および交換」動作と呼ばれる単一の動作がステップ３２２，３２４，３２６を実施するために使用されてもよい。これらの動作が何らかの理由により成功しない場合、ステップ３２８からステップ３０８に制御が戻り、標準的な論理装置２５２の対応するトラックがキャッシュに存在するか否かが再び検査される。前の動作が成功であったと検査ステップ３２８において判断された場合、検査ステップ３２８から上述のステップ３１８に制御が渡る。
【００６５】
ステップ３１８に後続する検査ステップ３３２では、キャッシュ専用仮想装置２５４，２５６のうちの活性的な仮想装置（復元されている）のキャッシュ・スロットが依然として使用されているか否かが判断される。場合によっては、キャッシュ専用仮想装置２５４，２５６のうちの活性的な仮想装置に対するスロットが別のミラーによって依然として使用されている可能性がある。検査ステップ３３２において、キャッシュ専用仮想装置のスロットが別のミラーによって使用されていないと判断されたとき、検査ステップ３３２からステップ３３４に制御が渡り、他の処理によって使用されるようスロットが解放される（例えば、本明細書の他の所で説明されるように、利用可能なスロットのプールに復元される）。ステップ３３４に後続するステップ３３６では、キャッシュ専用仮想装置２５４，２５６のうちの活性的な仮想装置の次のスロットを処理するために次のスロットが指定される。ステップ３３２においてキャッシュ専用仮想装置２５４，２５６のうちの活性的な仮想装置が別のミラーによって使用されていると判断された場合には、検査ステップ３３２からステップ３３６に到達することに注意する。更に、ステップ３０４において、処理されているスロットに関して、キャッシュ専用仮想装置２５４，２５６のうちの活性的な仮想装置が標準的な論理装置２５２を指定すると判断された場合には、検査ステップ３０４からステップ３３６に到達することにも注意する。ステップ３３６に後続する検査ステップ３３８では、キャッシュ専用仮想装置２５４，２５６のうちの活性的な仮想装置で処理されるべきスロットが更に存在するか否かが判断される。これ以上存在しない場合には、処理が完了される。存在する場合は、検査ステップ３３８からステップ３０４に制御が戻る。
【００６６】
別の実施形態では、図７に示すリスト２５８，２６２のような、リモート記憶装置２６へのＮ−１サイクルに対応する受信データの部分５６に対して変更されたスロットのリストを構成することが可能である。データを受信すると、リモート記憶装置２６は、変更されたスロットのリンク付けされたリストを構成する。構成されるリストは、円形、線形（ヌル終端）、または、全ての他の適当な設計であってもよい。リストは、キャッシュ専用仮想装置２５４，２５６のうちの活性的な仮想装置を復元するために使用される。
【００６７】
図９のフロー・チャート３００は、変更されたスロットのリストが使用される実施形態の動作を示す二つの代替的な経路３４２，３４４を示す。ステップ３０２において、ポインタ（変更されたスロットのリスト中を繰り返すために使用される）は、リストの第１のエレメントを指定するようにされる。代替の経路３４２によってステップ３０２からステップ３０６に到達される。変更されたスロットのリストを使用する実施形態において、リストのどのスロットも標準的な論理装置２５２を指定しないためステップ３０４が不要となる。
【００６８】
ステップ３０６に続いて、前の実施形態において上述したように処理が続けられるが、ステップ３３６は、ＣＯＶＤにおける次のスロットを指定する代わりに、変更されたスロットのリストを横断することを意味する。同様にして、ステップ３３８における検査は、ポインタがリストの最後に存在するか（または、円形のリンク付けされたリストの場合には始めに戻ったか）が判断される。更に、ステップ３３８において、処理するスロットが依然として存在すると判断された場合には、代替の経路３４４で示されるように、ステップ３３８からステップ３０６に制御が渡る。前述したように、変更されたスロットのリストを使用する実施形態について、ステップ３０４が省略され得る。
【００６９】
図１０を参照すると、フロー・チャート３５０は、シーケンス番号を増加させるローカル記憶装置２４に関連して実施されるステップを示す。処理は、第１のステップ３５２から開始され、ローカル記憶装置２４はシーケンス番号を増加する前に少なくともＭ秒待機する。本明細書の実施形態では、Ｍは３０であるが、当然のことながらＭは任意の数でもよい。Ｍの値が大きいと、記憶装置２４と記憶装置２６との間の通信が中断された場合に損失し得るデータ量が増加する。しかしながら、Ｍの値が小さいと、シーケンス番号をより頻繁にインクリメントすることで生ずるオーバーヘッドの合計量が増加する。
【００７０】
ステップ３５２に後続する検査ステップ３５４では、ローカル記憶装置２４の全てのＨＡが、前のシーケンス番号に対する全てのＩ／ＯをＨＡが完了したことを示すビットを設定したか否かが判断される。シーケンス番号が変わると、各ＨＡは、変更に気付き、前のシーケンス番号の全てのＩ／Ｏが完了されたことを示すビットを設定する。例えば、シーケンス番号がＮ−１からＮに変わると、ＨＡは、ＨＡがシーケンス番号Ｎ−１に対する全てのＩ／Ｏを完了したときにビットを設定する。場合によっては、ＨＡに対する単一のＩ／Ｏに長い時間がかかり、シーケンス番号が変わった後も進行中の場合もあることに注意する。一部のシステムに対して、全てのＨＡがそれぞれのＮ−１のＩ／Ｏを完了したか否かを判断するために異なる機構が使用されてもよいことに注意する。異なる機構は、メモリ３７中の装置テーブルを検査することを含む。
【００７１】
検査ステップ３５４において、前のシーケンス番号からのＩ／Ｏが完了されたと判断された場合、ステップ３５４からステップ３５６に制御が渡り、リスト７４，７６のうちの不活性のリストが空か否かが判断される。シーケンス番号の切換は、リスト７４，７６のうちの不活性のリストに対応する全てのデータがＲＤＦプロトコルを用いてローカル記憶装置２４からリモート記憶装置２６に完全に送信されるまで行われない。一旦、リスト７４，７６のうちの不活性のリストが空であると判断されると、ステップ３５６からステップ３５８に制御が渡り、前のシーケンス番号に対する委任がローカル記憶装置２４からリモート記憶装置２６に送信される。前述のように、特定のシーケンス番号に対する委任メッセージを受信するリモート記憶装置２６は、リモート記憶装置２６にシーケンス番号に対応するデータを復元し始めさせる。
【００７２】
ステップ３５８に後続するステップ３６２では、リスト７４，７６のうちの不活性のリストに対するデータのコピーが一時停止される。本明細書の他の所で説明されるように、リストのうちの不活性のリストは、走査され、ローカル記憶装置２４からの対応するデータをリモート記憶装置２６に送信する。シーケンス番号の切換が完了されるまでデータのコピーを一時停止することが有用である。本明細書の実施形態では、一時停止は、ＲＡ３０ａ−３０ｃにメッセージを送信することで提供される。しかしながら、本明細書に記載のシステムを用いてデータを送信することを促進するために他の構成要素を用いる実施形態に関して、コピーの一時停止が他の構成要素に適当なメッセージ／コマンドを送信することで提供されることが当業者には理解されるであろう。
【００７３】
ステップ３６２に後続するステップ３６４では、シーケンス番号がインクリメントされる。ステップ３６４に後続するステップ３６６では、シーケンス番号のインクリメントに関連してビットが再び設定されるよう、検査ステップ３５４において使用されたＨＡに対するビットが全て消去される。ステップ３６６に後続する検査ステップ３７２では、リモート記憶装置２６がステップ３５８において送信された委任メッセージを承認したか否かが判断される。一旦、リモート記憶装置２６がステップ３５８において送信された委任メッセージを承認したと判断されると、ステップ３７２からステップ３７４に制御が渡り、ステップ３６２において提供されるコピーの一時停止が消去され、コピーが再開される。ステップ３７４に後続して、処理が終了される。シーケンス番号を連続的にインクリメントするために新たなサイクルを始めるようステップ３７４からステップ３５２に戻ることが可能であることに注意する。
【００７４】
活性的なデータおよび不活性なデータの部分に関連付けられるスロットを収集するためにＲ１装置でＣＯＶＤを使用することも可能である。この場合、Ｒ２装置と同様に、あるＣＯＶＤが不活性のシーケンス番号に関連付けられ、別のＣＯＶＤが活性的なシーケンス番号に関連付けられる。これについては以下に説明される。
【００７５】
図１１を参照すると、ダイアグラム４００は、部分５２，５４を構成し維持するために使用されるアイテムを示す。標準的な論理装置４０２は、ホスト２２によって書き込まれたデータを含み、図２のデータ素子５１および図１のディスク３３ａ−３３ｃに対応する。標準的な論理装置４０２は、ホスト２２によってローカル記憶装置２４に書き込まれたデータを含む。
【００７６】
二つのキャッシュ専用仮想装置４０４，４０６が標準的な論理装置４０２に関連して使用される。キャッシュ専用仮想装置４０４，４０６は、例えば、ローカル記憶装置２４のメモリ３７に記憶される装置テーブルを対応付ける。キャッシュ専用仮想装置４０４，４０６のそれぞれのテーブルの各トラック・エントリーは、標準的な論理装置４０２のトラックを指定するか、あるいはローカル記憶装置２４に関連して使用されるキャッシュ４０８のスロットを指定する。一部の実施形態では、キャッシュ４０８は、ローカル記憶装置２４のメモリ３７に設けられてもよい。
【００７７】
キャッシュ４０８は、標準的な論理装置４０２への書き込みに関連して使用されると同時に、キャッシュ専用仮想装置４０４，４０６に関連して使用される複数のキャッシュ・スロット４１２−４１４を含む。本明細書の実施形態では、キャッシュ専用仮想装置４０４，４０６の各トラック・テーブル・エントリーは、標準的な論理装置４０２の対応するトラックを指定するためにヌルを含む。そのようで場合は、キャッシュ専用仮想装置４０４，４０６のそれぞれに対するトラック・テーブルにおけるエントリーは、キャッシュ４０８におけるスロット４１２−４１４の一つに対するポインタを含む。
【００７８】
キャッシュ専用仮想装置４０４，４０６のそれぞれは、データの部分５２，５４の一方に使用され、例えば、キャッシュ専用仮想装置４０４はシーケンス番号Ｎに対するデータの部分５２に対応し、キャッシュ専用仮想装置４０６はシーケンス番号Ｎ−１に対するデータの部分５４に対応する。従って、ホスト２２によってローカル記憶装置２４にデータが書き込まれるとき、データがキャッシュ４０８に供給され、キャッシュ専用仮想装置４０４の適当なポインタが調節される。本明細書の他の所で説明されるように、データが標準的な論理装置４０２にデステージされ、且つ、そのデータがキャッシュ専用仮想装置４０４によって解放されるまで、データは、キャッシュ４０８から除去されないことに注意する。
【００７９】
本明細書の実施形態では、キャッシュ専用仮想装置４０４，４０６のうちの一方は「活性的」と判断され、他方は「不活性」と判断される。それにより、例えば、シーケンス番号Ｎが偶数であるとき、キャッシュ専用仮想装置４０４は活性的でありキャッシュ専用仮想装置４０６は不活性である。キャッシュ専用仮想装置４０４，４０６のうちの活性的な仮想装置は、ホスト２２からの書き込みを取り扱い、キャッシュ専用仮想装置４０４，４０６のうちの不活性な仮想装置はローカル記憶装置２４からリモート記憶装置２６に送信されるデータに対応する。
【００８０】
ホスト２２によって書き込まれるデータはキャッシュ専用仮想装置４０４，４０６のうちの活性的な仮想装置（シーケンス番号Ｎに対応する）を用いて累積され、キャッシュ専用仮想装置４０４，４０６のうちの不活性な仮想装置（前のシーケンス番号Ｎ−１に対応する）に対応するデータはローカル記憶装置２４からリモート記憶装置２６に送信される。当該および関連する実施形態について、ローカル記憶装置のＤＡ３５ａ−３５ｃは、ローカル記憶装置２４からリモート記憶装置２６にデータを送信するために一つ以上のＲＡ３０ａ−３０ｃにコピー要求を送信するようキャッシュ専用仮想装置４０４，４０６のうちの不活性な仮想装置を走査する。従って、コピーの一時停止および再開に関連して上述したステップ３６２，３７４は、ＤＡ３５ａ−３５ｃにメッセージ／コマンドを供給することを含む。
【００８１】
一旦、リモート記憶装置２６にデータが送信されると、キャッシュ専用仮想装置４０４，４０６のうちの不活性な仮想装置における対応するエントリーはヌルに設定される。更に、データは、スロット中のデータが別の目的（例えば、標準的な論理装置４０２へのデステージ）のために必要とされない場合は、キャッシュ４０８から除去されてもよい（即ち、後の使用のためにスロットがスロットのプールに戻される）。全てのミラー（キャッシュ専用仮想装置４０４，４０６を含む）がデータをもはや使用しなくなるまでデータがキャッシュから除去されないことを確実にするために特定の機構が使用されてもよい。このような機構は、例えば、１９９６年７月１６日に発行された米国特許第５，５３７，５６８号明細書、および２００１年７月７日に出願された米国特許出願第０９／８５０，５５１号明細書に記載されており、それぞれ本明細書に参照として組み込まれる。
【００８２】
図１２を参照すると、フロー・チャート４４０は、本明細書に記載のシステムを提供するために二台のＣＯＶＤがＲ１装置によって使用される実施形態に関して書き込み動作を実施するホスト２２に関連してＨＡ２８によって実施されるステップを示す。処理は、第１のステップ４４２から開始され、書き込みに対応するスロットがロックされる。本明細書の実施形態では、キャッシュ４０８中のスロット４１２−４１４のそれぞれは、標準的な論理装置４０２上のデータのトラックに対応する。ステップ４４２においてスロットをロックすることで、フロー・チャート４４０のステップに対応するＨＡ２８によって実施される処理中に更なる処理が当該スロットに対して実施されることが防止される。
【００８３】
ステップ４４２に後続するステップ４４４では、シーケンス番号に対する値がＮに設定される。Ｒ１側でＣＯＶＤの代わりにリストを用いる実施形態のように、ステップ４４４で得られたシーケンス番号に対する値は、スロットがロックされている間にＨＡ２８によって実施される書き込み動作全体にわたって保持される。本明細書の他の所で説明されるように、シーケンス番号は、書き込みが属するデータの部分５２，５４のうちの一つを設定するために各書き込みに対して割り当てられる。ホスト２２によって実施される書き込みには、現在のシーケンス番号が割り当てられる。単一の書き込み動作が同一のシーケンス番号を全体にわたって保持することが有用である。
【００８４】
ステップ４４４に後続するステップ４４６では、キャッシュ専用仮想装置４０４，４０６のうちの不活性な仮想装置がステップ４４２でロックされていたスロット（動作されているスロット）を既に指定するか否かが判断される。これは、シーケンス番号が現在のシーケンス番号よりも一つ少ないときに同一のスロットへの書き込みが提供される場合に生ずる。前のシーケンス番号に対する書き込みに対応するデータは、リモート記憶装置２６に送信されていない場合もある。
【００８５】
検査ステップ４４６においてキャッシュ専用仮想装置４０４，４０６のうちの不活性な仮想装置はスロットを指定していないと判断されると、検査ステップ４４６から別の検査ステップ４４８に制御が渡り、キャッシュ専用仮想装置４０４，４０６のうちの活性的な仮想装置がスロットを指定するか否かが判断される。シーケンス番号が現在のシーケンス番号と同一であるとともに、スロットへの前の書き込みがあった場合に、キャッシュ専用仮想装置４０４，４０６のうちの活性的な仮想装置はスロットを指定する。検査ステップ４４８においてキャッシュ専用仮想装置４０４，４０６のうちの活性的な仮想装置がスロットを指定していないと判断されると、検査ステップ４４８からステップ４５２に制御が渡り、新たなスロットがデータに対して得られる。ステップ４５２に後続するステップ４５４では、キャッシュ専用仮想装置４０４，４０６のうちの活性的な仮想装置がスロットを指定するにようにされる。
【００８６】
ステップ４５４に後続して、あるいは、キャッシュ専用仮想装置４０４，４０６のうちの活性的な仮想装置がスロットを指定する場合にはステップ４４８に後続して、ステップ４５６では、フラグが設定される。ステップ４５６では、スロットがＲＤＦを用いてリモート記憶装置２６に送信される必要があることを示すためにＲＤＦ＿ＷＰフラグ（ＲＤＦ書き込み保留フラグ）が設定される。更に、ステップ４５６において、ＩＮ＿ＣＡＣＨＥフラグが、スロットが標準的な論理装置４０２にデステージされる必要があることを示すために設定される。場合によっては、キャッシュ専用仮想装置４０４，４０６のうちの活性的な仮想装置が既にスロット（ステップ４４８で判断されるように）を指定する場合、ＲＤＦ＿ＷＰフラグおよびＩＮ＿ＣＡＣＨＥフラグがステップ４５６の実行前に既に設定されている可能性がある。しかしながら、ステップ４５６でフラグを設定することで、以前の状態に関わらずフラグが正しく設定されることが確実になる。
【００８７】
ステップ４５６に後続するステップ４５８では、スロットを指定するトラック・テーブルの間接的なフラグが消去され、当該データが間接的に指定する異なるスロットではなく該スロットに供給されていることを示す。ステップ４５８に後続するステップ４６２では、ホスト２２およびＨＡ２８によって書き込まれるデータがスロットに書き込まれる。ステップ４６２に後続するステップ４６４では、スロットがアンロックされる。ステップ４６４に後続して、処理が完了される。
【００８８】
検査ステップ４４６においてキャッシュ専用仮想装置４０４，４０６のうちの不活性な仮想装置がスロットを指定すると判断された場合、ステップ４４６からステップ４７２に制御が渡り、新たなスロットが得られる。ステップ４７２において得られた新たなスロットは、ＲＤＦ転送を行うためにキャッシュ専用仮想装置４０４，４０６のうちの不活性の仮想装置のために使用され、古いスロットは、以下に説明するように、キャッシュ専用仮想装置４０４，４０６のうちの活性的な仮想装置に関連付けられる。
【００８９】
ステップ４７２に後続するステップ４７４では、古いスロットからのデータはステップ４７２において得られた新たなスロットにコピーされる。ステップ４７４に後続するステップ４７６では、キャッシュ専用仮想装置４０４，４０６のうちの不活性な仮想装置に対するトラック・テーブル・エントリーは古いスロットを指定するがデータは古いスロットによって指定されている新たなスロットに存在することを示すために、間接的なフラグ（上述した）が設定される。従って、ステップ４７６において間接的なフラグを設定することは、キャッシュ専用仮想装置４０４，４０６のうちの不活性な仮想装置のトラック・テーブルに作用し、そのトラック・テーブル・エントリーはデータが新たなスロットに存在することを示す。
【００９０】
ステップ４７６に後続するステップ４７８では、新たなスロットにおけるレコードに対するミラー・ビットが調節される。ステップ４７４において古いスロットから新たなスロットにデータがコピーされたときにコピーされた全てのローカル・ミラー・ビットは、新たなスロットの目的がキャッシュ専用仮想装置のうちの不活性な仮想装置に対して単にＲＤＦ転送を行うためだけであるため、消去される。古いスロットは、全てのローカル・ミラーを取り扱うために使用される。ステップ４７８に後続するステップ４６２では、データがスロットに書き込まれる。ステップ４６２に後続するステップ４６４では、スロットがアンロックされる。スロット４６４に後続して、処理が完了される。
【００９１】
図１３を参照すると、フロー・チャート５００は、リモート記憶装置２６にデータの部分５４を送信するローカル記憶装置２４に関連して実施されるステップを示す。送信は、基本的に、キャッシュ専用仮想装置４０４，４０６のうちの不活性な仮想装置が活性的であったときの前の繰り返し中に書き込まれたトラックに関してキャッシュ専用仮想装置４０４，４０６のうちの不活性な装置を走査することを含む。本実施形態では、ローカル記憶装置１４のＤＡ３５ａ−３５ｃは、キャッシュ専用仮想装置４０４，４０６のうちの不活性な装置を走査し、ＲＤＦプロトコルを用いて一つ以上のＲＡ３０ａ−３０ｃによるリモート記憶装置２６への送信のためにデータをコピーする。
【００９２】
処理は、第１のステップ５０２から開始され、キャッシュ専用仮想装置４０４，４０６のうちの不活性な仮想装置の第１のトラックが、全てのトラックにわたる反復処理を始めるために指定される。第１のステップ５０２に後続する検査ステップ５０４では、ＲＤＦ＿ＷＰフラグが設定されているか否かが判断される。本明細書の他の所で説明されるように、ＲＤＦ＿ＷＰフラグは、スロット（トラック）がＲＤＦリンクを介して送信される必要があるデータを含むことを示すために使用される。設定されているＲＤＦ＿ＷＰフラグは、スロット（トラック）における少なくとも一部のデータがＲＤＦを用いて送信されるべきことを示す。本明細書の実施形態では、スロット全体は送信されない。むしろ、適当なミラー・ビット・セット（レコードが変更されたことを示す）を有するスロット内のレコードのみがリモート記憶装置２６に送信される。しかしながら、他の実施形態では、リモート記憶装置２６が適当なミラー・ビット・セットを有するレコートに対応するデータのみを書き込み、有効か否かが明らかではないトラックに対する他のデータを無視することを前提として、スロット全体が送信されてもよい。
【００９３】
検査ステップ５０４において、処理されるキャッシュ・スロットにＲＤＦ＿ＷＰが設定されていると判断された場合、ステップ５０４から検査ステップ５０５に制御が渡り、スロットがデータを含むか、あるいはスロットが当該データを含む別のスロットを指定する間接的スロットである否かが判断される。場合によっては、スロットは、スロットに対応するディスクの部分にデータを含まない場合もある。その代わりに、スロットは、該データを含む別のスロットを指定する間接的スロットとなり得る。ステップ５０５においてスロットが間接的スロットであると判断された場合、ステップ５０５からステップ５０６に制御が渡り、（間接的スロットによって指定されたスロットから）データが得られる。従って、スロットが直接的スロットである場合は、ＲＤＦによって送信されるべきデータはスロットに記憶され、スロットが間接的スロットである場合は、ＲＤＦによって送信されるべきデータは間接的スロットによって指定される別のスロットに存在する。
【００９４】
ステップ５０６に後続して、あるいは、スロットが直接的スロットである場合にはステップ５０５に後続して、ステップ５０７では、（スロットから直接的にまたは間接的に）送信されるデータが、ＲＤＦプロトコルを用いてローカル記憶装置２４からリモート記憶装置２６に送信されるようＤＡ３５ａ−３５ｃの一つによってコピーされる。ステップ５０７に後続する検査ステップ５０８では、リモート記憶装置２６がデータの受信を承認したか否かが判断される。承認しない場合は、ステップ５０８からステップ５０７に制御が戻り、データを再送信する。他の実施形態では、異なる、より複雑な処理がデータを送信してその受信を承認するために使用されてもよい。このような処理は、データを送信するための試み数回失敗した後に実施されるエラー報告、および、代替の処理を含んでもよい。
【００９５】
一旦、検査ステップ５０８においてデータの送信が成功であったと判断されると、ステップ５０８からステップ５１２に制御が渡り、ＲＤＦ＿ＷＰ（ＲＤＦを介したデータの送信が成功したため）が消去される。ステップ５１２に後続するステップ５１４では、少なくともＲＤＦミラー（Ｒ２）がもはやデータを必要としなくなることを示すために適当なミラー・フラグが消去される。本明細書の他の実施形態では、スロット（トラック）の一部である各レコードは、どのミラーが特定のレコードを使用するかを示す個々のミラー・フラグを有する。Ｒ２装置は、レコードのそれぞれに対するミラーの一つであり、Ｒ２装置に対応するフラグがステップ５１４において消去される。
【００９６】
ステップ５１４に後続するステップ５１６では、処理されているトラックの任意のレコードが（他のミラー装置のための）任意の他のミラー・フラグを有しているか否かが判断される。有していない場合は、ステップ５１６からステップ５１８に制御は渡り、スロットは開放される（即ち、もはや使用されない）。一部の実施形態では、未使用のスロットが使用可能なスロットのプールに保持されている。追加的なフラグがスロットのレコードの一部に依然として設定されている場合、そのレコードは標準的な論理装置４０２にデステージされる必要があるか、あるいは、他のミラー（別のＲ２装置を含む）によって使用されていることを意味することに注意する。ステップ５１８に後続して、あるいは、より多くのミラー・フラグが存在する場合にはステップ５１６に後続して、ステップ５２２では、キャッシュ専用仮想装置４０４，４０６のうちの不活性な仮想装置の各トラック・エントリーにわたって反復して使用されるポインタが次のトラックを指定する。ステップ５２２に後続する検査ステップ５２４では、処理されるべきトラックが、キャッシュ専用仮想装置４０４，４０６のうちの不活性な仮想装置に更に存在するか否かが判断される。存在しない場合には、処理は完了される。存在する場合には、上述の検査ステップ５０４に制御が戻る。ステップ５２２は、処理されているトラックに対してＲＤＦ＿ＷＰフラグが設定されていないと判断された場合には、検査ステップ５０４からも到達される。
【００９７】
本願記載の別の実施形態では、図７のダイアグラム２４０に示すようにＲ２装置にＣＯＶＤを使用しないことも可能である。つまり、Ｒ２装置でＣＯＶＤを使用することなく非同期データのＲ２受信を実行することが可能である。
【００９８】
図１４を参照すると、ダイアグラム６４０はデータを受信するリモート記憶装置２６に設けられるキャッシュ６４２を示す。キャッシュ６４２は、ローカル記憶装置２４から受信する非同期データが配置される複数のスロット６５２−６５４を含む。キャッシュ６４２のスロット６５２−６５４に対するポインタを含む第１の環状にリンク付けされたリスト６７４および第２の環状にリンク付けされたリスト６７６も図示される。例えば、環状にリンク付けされたリスト６７４は、キャッシュ６４２中のスロット６５２−６５４の一つをそれぞれ指す複数のポインタ６８１−６８５を含む。同様にして、環状にリンク付けされたリスト６７６は、キャッシュ６４２中のスロット６５２−６５４の一つをそれぞれ指す複数のポインタ６９１−６９５を含む。標準的な論理装置６９８もキャッシュ６４２の一部分にマッピングされる。
【００９９】
本願の一実施形態では、一方のリスト６７４，６７６は不活性的なデータの部分（例えば、図２に示す部分５６）に対応し、他方のリスト６７４，６７６は活性的なデータの部分（例えば、図２の部分５８）に対応する。図７のダイアグラム２４０および対応するテキストに関連して本願の他の箇所で記載するように、受信データは、不活性的な方のデータの部分を用いて蓄積され、活性的な方のデータの部分は標準的な論理装置６９８にデータを記憶するために使用される。従って、新しいデータが到着すると、キャッシュ６４２に配置され、データを受信した際に不活性的なデータの部分である方の環状にリンク付けされたリスト６７４，６７６に新しいポインタが追加される。
【０１００】
ある場合では、標準的な論理装置６９８（または全ての他の論理装置）の一部分が、受信データに対応して関連するスロットをキャッシュ６４２に有しているか否かを判断することが有用となる場合もある。当然のことながら、キャッシュ６４２中に対応するスロットがあるか否かを判断するためにリスト６７４，６７６の両方を検討することも可能である。しかしながら、装置にデステージされるために待機している、対応する一つのスロット６５２−６５４がキャッシュ６４２中にあるか否かを判断するために特定の装置、シリンダ、および、論理装置のヘッド値を使用する方法があればより有用である。
【０１０１】
図１５を参照すると、ダイアグラム７００は複数のエントリー７０４−７０６を含むハッシュ・テーブル７０２を示す。本願記載の実施形態では、各エントリー７０４−７０６は、ヌル・ポインタを含むか、あるいは、受信済であるが標準的な論理装置６９８（または別の標準的な論理装置）にまだ記憶されていないデータに対応するキャッシュ・スロット６５２−６５４の一つを指す。テーブル７０２では、対応するエントリーを探すためのインデックスをテーブル７０２に付けるために装置、シリンダ、および、ヘッドの特定の値を用いて数学的演算を実行するハッシュ関数を用いてインデックスが付けられる。それにより、データがＲ２装置によって受信されると、テーブル７０２中のインデックス値を探すためにハッシュ関数が、装置、シリンダ、および、ヘッドに適用され、キャッシュ６４２中の特定のスロット６５２−６５４を指している対応する一つのエントリー７０４−７０６にポインタが書き込まれる。一旦、受信データが標準的な論理装置６９８（または別の装置）に適当にデステージされると、該対応する一つのエントリー７０４−７０６はヌルに設定される。ハッシュ・テーブル７０２により、標準的な論理装置の特定の部分がまだデステージされていない受信データに対応するか否かを迅速に判断することが可能となる。本願記載のシステムでは、テーブル７０２にインデックスを付けるためにどの適当なハッシュ関数が使用されてもよい。
【０１０２】
ある場合では、装置、シリンダ、および、ヘッドに対する異なる値によって付けられたインデックスと同じインデックスを、特定の装置、シリンダ、および、ヘッド値がテーブル７０２に付けることも可能である。これは、いわゆる「コリジョン」と呼ばれる。コリジョンが起こると、テーブル７０２への第２のエントリーは設けられた同じインデックスに対応し、第２のエントリーは特定のインデックスが一つ以上のエントリーに対応するよう第１のエントリーにリンク付けされる。例えば、テーブル７０２の素子７０５にリンク付けされている素子７０８によって例示される。従って、第１の装置、シリンダ、および、ヘッドは、エントリー７０５にインデックスを付けるようハッシュされる一方で、該インデックスについて同じ値を生成するために別の装置、シリンダ、および、ヘッドがハッシュ関数に入力される。本願記載の実施形態では、エントリー７０５は第１の装置、シリンダ、および、ヘッドに対応するキャッシュ６４２中のデータを指すために使用され、エントリー７０８は第２の装置、シリンダ、および、ヘッドに対応するキャッシュ６４２中のデータを指すために使用される。当然のことながら、適当な装置にデータがデステージされると、対応するエントリー７０５，７０８はテーブル７００から削除されてもよい。
【０１０３】
任意の数のエントリーが単一のインデックスに対応してもよく、例えば、同じインデックスを生成するために装置、シリンダ、および、ヘッドに対して別個の三組の値を生ずるコリジョンが起きた場合、テーブル７０２には特定のインクデックスについて三つ（以上）のエントリーが一緒にリンク付けされる。更に、追加的なテーブル（例えば、第２のテーブル、第３のテーブル、第４のテーブル、等）を設ける等、コリジョンを処理するために他の適当な技法が使用されてもよいことに注意する。
【０１０４】
図１６を参照すると、ダイアグラム７２０は、複数のエントリー７２４−７２６を含むハッシュ・テーブル７２２の代替的な実施形態を示す図である。図１６の実施形態は、図１５の実施形態に類似するが、本願で説明するように幾つかの相違点がある。各エントリー７２４−７２６は、ヌル・ポインタを含むか、あるいは、受信済であるがまだ標準的な論理装置６９８（または別の標準的な論理装置）に記憶されていないデータに対応する、ダイアグラム７２０に示すキャッシュ・スロット７２８，８３２，７３４の一つを指す。テーブル７２２では、対応するエントリーを探すためのインデックステーブル７２２に付けるために装置、シリンダ、および、ヘッドの特定の値を用いて数学的演算を実行するハッシュ関数を用いてインデックスが付けられる。それにより、Ｒ２装置によってデータが受信されると、テーブル７２２中のインデックス値を探すためにハッシュ関数が装置、シリンダ、および、ヘッドに適用され、特定のスロット７２８，８３２，８３４を指している対応する一つのエントリー７２４−７２６にポインタが書き込まれる。一旦、受信データが標準的な論理装置６９８（または別の装置）に適当にデステージされると、該対応する一つのエントリー７２４−７２６は適当に調節される。ハッシュ・テーブル７２２により、標準的な論理装置の特定の部分がまだデステージされていない受信データに対応するか否かを迅速に判断することができる。本願記載のシステムでは、テーブル７２２にインデックスを付けるためにどの適当なハッシュ関数が使用されてもよい。
【０１０５】
図１６に示す実施形態について、コリジョンが起きた場合、テーブル・エントリーが指している第１のスロットは、コリジョンを引き起こした第２のスロットを指している。例えば、スロット７３２とスロット７３６がテーブル・エントリー７２５でコリジョンを起こすと、テーブル・エントリー７２５はスロット７３２を指し、スロット７３２はスロット７３６を指す。従って、後続するスロットを追加することは先行するスロットに対するポインタ値を変化させることだけを伴うため、後続するスロットが追加されたとしてもテーブル７２２はコリジョンによって変更されない。当然のことながら、任意の数のスロットが単一のテーブル・エントリーに対応してもよい。
【０１０６】
任意の数のエントリーが単一のインデックスに対応してもよく、例えば、同じインデックスを生成するために装置、シリンダ、および、ヘッドに対して別個の三組の値を生ずるコリジョンが起きた場合、テーブル７０２には特定のインクデックスについて三つ（以上）のエントリーが一緒にリンク付けされる。更に、追加的なテーブル（例えば、第２のテーブル、第３のテーブル、第４のテーブル、等）を設ける等、コリジョンを扱うために他の適当な技法が使用されてもよいことに注意する。
【０１０７】
本発明を様々な実施形態に関連して説明したが、その変更態様も当業者には容易に明らであろう。本発明の技術思想および範囲は添付の特許請求の範囲に記載される。
【図面の簡単な説明】
【０１０８】
【図１】本明細書に記載のシステムに関連して使用されるホスト、ローカル記憶装置、およびリモート・データ記憶装置を示す概略図。
【図２】本明細書に記載のシステムに関連して使用されるホスト、ローカル記憶装置、およびリモート・データ記憶装置間のデータのフローを示す概略図。
【図３】本明細書に記載のシステムによる、ローカル記憶装置上にデータの部分を構成し操作するアイテムを示す概略図。
【図４】本明細書に記載のシステムに関連して使用されるスロットのデータ構造を示す図。
【図５】本明細書に記載のシステムによる、ホストによる書き込みに応答する、ホスト・アダプタ（ＨＡ）の動作を示すフロー・チャート。
【図６】本明細書に記載のシステムによる、ローカル記憶装置からデータ記憶装置へのデータの転送を示すフロー・チャート。
【図７】本明細書に記載のシステムによる、リモート記憶装置上にデータの部分を構成し操作するアイテムを示す概略図。
【図８】本明細書に記載のシステムによる、ローカル記憶装置から委任インジケータを受信することに関連してリモート記憶装置によって実施されるステップを示すフロー・チャート。
【図９】本明細書に記載のシステムによる、送信されたデータのリモート記憶装置における記憶を示すフロー・チャート。
【図１０】本明細書に記載のシステムによる、ローカル記憶装置がシーケンス番号をインクリメントすることに関連して実施されるステップを示すフロー・チャート。
【図１１】本明細書に記載のシステムの別の実施形態による、ローカル記憶装置上にデータの部分を構成し操作するアイテムを示す概略図。
【図１２】本明細書に記載のシステムの別の実施形態による、ホストによる書き込みに応答するホスト・アダプタ（ＨＡ）の動作を示すフロー・チャート。
【図１３】本明細書に記載のシステムの別の実施形態による、ローカル記憶装置からリモート記憶装置へのデータの転送を示すフロー・チャート。
【図１４】本願記載のシステムによる、リモート記憶装置でデータの部分を構成し操作するアイテムを例示する概略図。
【図１５】本願記載のシステムによる、リモート記憶装置によって受信されるデータを含むスロットに論理装置の場所をマッピングするために使用されるテーブルを示す図。
【図１６】本願記載のシステムによる、リモート記憶装置によって受信されるデータを含むスロットに論理装置の場所をマッピングするために使用されるテーブルの別の実施形態を示す図。
【図１】
2008515112.tif 000003
【図２】
2008515112.tif 000004
【図３】
2008515112.tif 000005
【図４】
2008515112.tif 000006
【図５】
2008515112.tif 000007
【図６】
2008515112.tif 000008
【図７】
2008515112.tif 000009
【図８】
2008515112.tif 000010
【図９】
2008515112.tif 000011
【図１０】
2008515112.tif 000012
【図１１】
2008515112.tif 000013
【図１２】
2008515112.tif 000014
【図１３】
2008515112.tif 000015
【図１４】
2008515112.tif 000016
【図１５】
2008515112.tif 000017
【図１６】
2008515112.tif 000018
【国際調査報告】
2008515112.tif 000019